(57)【要約】  【課題】深溝にシャワー水等が侵入しカビの発生原因等になるのを防止する。  【解決手段】容器口部２を挟持する嵌合突条４を有する外筒５と、嵌合筒２２を上部に形成した嵌合上壁６と、内筒嵌着部７を有する中栓８と、上記中栓８に被着される上蓋２０とを備え、該中栓８には分別回収を容易にするための深溝１１が設けられている分別回収可能な合成樹脂製用器蓋９において；前記中栓８と上蓋２０は、ヒンジ結合されており、前記上蓋２０には、前記深溝１１に挿入されるシール突起３０が設けられている。  【選択図】  図１
2005170429.tif 000002
【特許請求の範囲】
【請求項１】
容器口部を挟持する嵌合突条を有する外筒と、嵌合筒を上部に形成した嵌合上壁と、内筒嵌着部を有する中栓と、上記中栓に被着される上蓋とを備え、該中栓には分別回収を容易にするための深溝が設けられている分別回収可能な合成樹脂製容器蓋において；
前記深溝にシャワー水等が侵入するのを防止するための閉塞手段を設けたことを特徴とする分別回収可能な合成樹脂製容器蓋。
【請求項２】
前記深溝にシャワー水等が侵入するのを防止するための閉塞手段が、該深溝に挿入されるシール突起であることを特徴とする請求項１記載の分別回収可能な合成樹脂製容器蓋。
【請求項３】
前記シール突起は、上蓋に突設されていることを特徴とする請求項２記載の分別回収可能な合成樹脂製容器蓋。
【請求項４】
前記シール突起の基部には、上蓋とシール突起とを分離するための弱化部が設けられていることを特徴とする請求項３記載の合成樹脂製容器蓋。
【請求項５】
前記シール突起は、容器蓋と別体に形成されていることを特徴とする請求項２記載の分別回収可能な合成樹脂製容器蓋。
【請求項６】
上蓋と中栓は、ヒンジ結合されていることを特徴とする請求項１、２、３、４、又は、５記載の合成樹脂製容器蓋。
【発明の詳細な説明】
【技術分野】
【０００１】
この発明は、容器口部に打栓挿着される合成樹脂製容器蓋に関するものであり、更に述べると、容器と容器蓋の分別を容易にするために、容器蓋に深溝を備えた合成樹脂製容器蓋に関するものである。
【背景技術】
【０００２】
近年資源の有効利用や公害防止の観点から、使用済みの容器を回収し再利用（リサイクル）が行われている。合成樹脂製のキャップは、容器口部に打栓装着され、該容器口部は外筒と内筒により固く締め付けられているので、分別回収の際に、前記ヒンジキャップを引っ張ってもなかなか外れない。そのため、分別回収作業に多くの時間と労力を費やすことになり、大きな問題となる。
【０００３】
そこで、前記問題を解決するため、中栓の頂壁に深溝を設け、該深溝に縦弱化線を連続させ、該縦弱化線に周方向弱化線を連続させたキャップが開発されている（例えば、特許文献１参照）。このキャップでは、分別回収の際に、上蓋を引っ張ることにより弱化線が切れ、外筒と内筒による締め付け力が弱くなるので、容易に容器口部から分離することができる。
【０００４】
【特許文献１】特開２００１−１９２０５３号公報
【発明の開示】
【発明が解決しようとする課題】
【０００５】
容器への内容物充填工程では、内容物の保存性を確保するために内容物を加熱してから充填している。加熱充填された容器は、その後、蓋を打栓装着され、シャワー水で冷却洗浄されるが、蓋により密封された容器内は、高温から常温への温度変化により容器内が減圧状態となる。同様に中栓と上蓋との内部空間も減圧状態となるので、シャワー水が上蓋内に侵入することがある。
【０００６】
通常、上蓋内に侵入したシャワー水は、僅かな量であれば、倉庫等に保管されている間に蒸発するので問題ないが、上記特許文献１では、分別を容易にするために深溝が設けられているので、上蓋内に侵入したシャワー水が深溝に溜まり、蒸発しきれずに該深溝内に残る傾向がある。該深溝内に残った水は、カビの発生原因等になり、衛生的に好ましくない。
【０００７】
この発明は、上記事情に鑑み、深溝に水等が溜まってカビの発生原因等になるのを防止することを目的にする。
【課題を解決するための手段】
【０００８】
この発明は、容器口部を挟持する嵌合突条を有する外筒と、嵌合筒を上部に形成した嵌合上壁と、内筒嵌着部を有する中栓と、上記中栓に被着される上蓋とを備え、該中栓には分別回収を容易にするための深溝が設けられている分別回収可能な合成樹脂製容器蓋において；前記深溝にシャワー水等が侵入するのを防止するための閉塞手段を設けたことを特徴とする。
【０００９】
この発明の前記深溝にシャワー水等が侵入するのを防止するための閉塞手段が、該深溝に挿入されるシール突起であることを特徴とする。この発明の前記シール突起は、上蓋に突設されていることを特徴とする。この発明の前記シール突起の基部には、上蓋とシール突起とを分離するための弱化部が設けられていることを特徴とする。
【００１０】
この発明の前記シール突起は、容器蓋と別体に形成されていることを特徴とする。この発明の上蓋と中栓は、ヒンジ結合されていることを特徴とする。
【発明の効果】
【００１１】
この発明は、深溝にシャワー水等が侵入するのを防止するための閉塞手段、例えば、上蓋に、前記深溝に挿入されるシール突起を設けたので、深溝はシール突起により埋められてしまう。従って、深溝内にシャワー水等が侵入するのを防止できるので、カビ等の発生を防止でき、良好な衛生状態を維持することができる。
【００１２】
又、深溝にシール突起が挿入されているので、深溝とシール突起とは密着して一体となり、あたかも深溝が存在しなかった様な状態となる。そのため、深溝の存在により容器口部との嵌合力が低下していた、外筒の深溝及びその近傍部分における嵌合力が補強されるので、均一な嵌合力を容器口部の全周にわたって維持することができる。
【発明を実施するための最良の形態】
【００１３】
この発明の実施の形態を図１〜図３により説明する。
合成樹脂製容器蓋９は、中栓８と、該中栓８にヒンジ１０を介して連結されている上蓋２０と、を備えている。
【００１４】
中栓８の底壁２８の下面には、容器１の口部２を挟持する、嵌合突条４付き外筒５と内筒（内筒嵌着部）７とを備えている。内筒７の内側の底壁２８には、切断部を画する切裂溝２７が設けられている。
【００１５】
前記底壁２８の上面には、注出筒２５が立設され、その内側の底壁２８には、支柱２６が設けられ、その先端部にはプルリング２９が固定されている。注出筒２５の外側の嵌合上壁６には、嵌合筒２２が立設され、その外側のヒンジ１０の近傍には、円弧状に形成された深溝１１が設けられている。
【００１６】
この深溝１１は、外筒５に形成された縦弱化線１３、１４に連続している。この縦弱化線１３、１４は、周方向弱化線１６に連続している。外筒５の深溝１１近傍は、薄肉部となっている。この深溝１１の深さは、必要に応じて適宜選択され、例えば、嵌合突条４に到達する深さが採用される。
【００１７】
上蓋２０のヒンジ１０と反対側には、摘部２１が設けられ、又、そのヒンジ１０の近傍には、前記深溝１１に嵌合されるシール突起３０が突設されている。このシール突起３０は、深溝１１に密接して嵌合できる形状に形成されており、その基部には切断弱化部３１が設けられている。この弱化部３１は、ミシン目、スリットなどにより形成され、小さな力で切断可能である。
【００１８】
次に、この実施の形態の作動について説明する。
中栓と外蓋のセット：
開蓋状態で射出成型された容器蓋を、図示しない折り機に供給すると、該折り機は上蓋２０を回動させて閉蓋状態にする。この時、嵌合筒２２は、上蓋２０の係止突条１９に係止すると共に、シール突起３０は、深溝１１に嵌合密着し、抜けない状態となる。
【００１９】
合成樹脂製容器蓋の装着：
容器１に内容物を高温にして充填した後、合成樹脂製容器蓋９を容器口部２に打栓装着する。この時、深溝１１には、シール突起３０が嵌着し、深溝１１が埋められているため、あたかも深溝１１が存在しなかった様な状態となる。そのため、深溝１１の存在により容器口部２との嵌合力が低下していた、外筒の深溝及びその近傍部分における嵌合力が補強されるので、均一な嵌合力を容器口部の全周にわたって維持することができる。
【００２０】
次に、前記合成樹脂製容器蓋１をシャワー水で洗浄冷却する。この時、上蓋２０内の圧力が外気圧より低いと、シャワー水が上蓋２０内に侵入することがあるが、深溝１１には、シール突起３０により塞がれているので、シャワー水は深溝１１に侵入することはない。従って、深溝１１内にシャワー水が溜まるのを防止することができる。
【００２１】
なお、深溝１１の下端が、図示しないスリットを介して外筒内面と連通している場合には、内容物が付着している容器口部に、容器蓋を打栓装着すると、その内容物が深溝１１内に侵入することがあるが、前記のように深溝１１にシール突起３０がはめ込まれていると、前記付着物の侵入は完全に阻止することができる。
【００２２】
開封：
初めて容器１内の内容物を使用する場合に、指を鍔部２１に掛けて上方に押し上げると、上蓋２０が持ち上げられ開蓋状態となる。
このとき、深溝１１内に密着挿入されているシール突起３０の基部に、力が加わるので、シール突起３０の弱化部３１が切れ、図３に示すように、シール突起３０は、深溝１１内に残る。
【００２３】
プルリング２９に指を掛けて引っ張ると、切裂溝２７が切り裂かれ、底壁２８に開口が形成される。図示しない容器１を傾けると、内容物が注出筒２５を介して外部に排出される。所望量注出させた後、容器１を元の状態に戻し上蓋２０を閉じる。
【００２４】
分別回収：
容器１内の内容物がなくなったら、上蓋２０を開いて手で握り、所定方向に引っ張ると、図２、図３に示す深溝１１に連続する縦弱化線１３、１４、周方向弱化線１６が切れ、外筒５と内筒７との締め付け力が弱まるので、合成樹脂製容器蓋９は、容易に容器口部２から外れる。
【００２５】
この発明の実施の形態は、上記に限定されるものではない。
例えば、中栓と上蓋をヒンジ結合する、所謂ヒンジキャップの代わりに、前記両者を螺着するタイプのキャップ、にも本件発明の適用は可能である。
【００２６】
深溝にシャワー水等が侵入するのを防止するための閉塞手段として、シール突起を上蓋に一体的に形成する代わり、容器蓋と別体に形成し、該シール突起を深溝に挿入しても良い。このシール突起の長さや形状等は、必要に応じて適宜選択されるが、深溝の全長にわたって密着挿入される様にすると、その長さが短い場合に比べ、より外筒の嵌合力を大きくすることができるとともに、容器口部の付着物が打栓装着時に深溝内に侵入するのを防止することができる。
【００２７】
シール突起の代わりに、深溝の開口端に薄膜を設けて封鎖しても良い。
【図面の簡単な説明】
【００２８】
【図１】本発明の実施の形態を示す拡大縦断面図である。
【図２】本発明の実施の形態を示す側面図である。
【図３】図１の他の状態を示す拡大縦断面図である。
【符号の説明】
【００２９】
１    容器
２    口部
５    外筒
７    内筒
８    中栓
９    合成樹脂製容器蓋
10    ヒンジ
11    深溝
20    上蓋
30    シール突起
31    弱化部
【図１】
2005170429.tif 000003
【図２】
2005170429.tif 000004
【図３】
2005170429.tif 000005